(57)【要約】【課題】  対物レンズの傾角調整を安価な構造で精密に行うこと。【解決手段】  対物レンズＯＬ付きレンズホルダ４を支持するアクトベース２がオプチベース１上に配置され、２本の傾角調整ボルト１３と調整ばね１７とによる傾角調整でアクトベース２の位置を微調整することにより、対物レンズＯＬの光軸Ｏ１を半導体レーザから発したレーザ光の光軸Ｏ２と一致させ、アクトベース２をオプチベース１に接着剤ＵＶで固定するようにした光ピックアップにおいて、調整ばね１７の一端部が連結された傾角治具２０を有しており、その調整ばね１７付き傾角治具２０をオプチベース１の所定位置にビス２５で係脱可能に係止することにより、調整ばね１７の他端部をアクトベース２に一体形成した受座部２Ａに押し付け、前記接着剤ＵＶによるアクトベース２の固定終了後、調整ばね１７付き傾角治具２０をオプチベース１から離脱させるようにした。【選択図】        図２
2007149246.tif 000002
【特許請求の範囲】
【請求項１】
対物レンズ付きレンズホルダを支持するアクトベースがオプチベース上に配置され、２
本の傾角調整ボルトがオプチベースの貫通孔を通ってアクトベースに所定間隔をおいて形
成したねじ孔にそれぞれ螺合され、その両傾角調整ボルトから所定間隔離れた位置でアク
トベースの挿通孔を通ってオプチベースのねじ孔に支持ボルトが螺着され、該支持ボルト
に遊嵌されてアクトベースをオプチベースに向けて付勢する調整ばねが設けられており、
その調整ばねに抗して各傾角調整ボルトのねじ込み量を調整してアクトベースの位置を微
調整することにより、対物レンズの光軸を半導体レーザから発したレーザ光の光軸と一致
させ、アクトベースをオプチベースに接着剤で固定するようにした光ピックアップにおい
て、前記支持ボルトを省略し、前記調整ばねの一端部が連結された押さえ部と、該押さえ
部に脚部を介して一体形成した基板部とを有する傾角治具を備え、前記基板部に対向して
オプチベースに位置決め枠が一体形成されており、該位置決め枠に前記基板部を係合させ
て位置決めした後、該基板部をビスでオプチベースに螺着することにより、調整ばね付き
傾角治具をオプチベースの所定位置に係脱可能に係止し、これにより、調整ばねの他端部
をアクトベースに一体形成した受座部に押し付け、前記接着剤によるアクトベースの固定
終了後、ビスによる螺着を解除して調整ばね付き傾角治具をオプチベースから離脱させる
ようにしたことを特徴とする光ピックアップ。
【請求項２】
対物レンズ付きレンズホルダを支持するアクトベースがオプチベース上に配置され、２
本の傾角調整ボルトがオプチベースの貫通孔を通ってアクトベースに所定間隔をおいて形
成したねじ孔にそれぞれ螺合され、その両傾角調整ボルトから所定間隔離れた位置でアク
トベースの挿通孔を通ってオプチベースのねじ孔に支持ボルトが螺着され、該支持ボルト
に遊嵌されてアクトベースをオプチベースに向けて付勢する調整ばねが設けられており、
その調整ばねに抗して各傾角調整ボルトのねじ込み量を調整してアクトベースの位置を微
調整することにより、対物レンズの光軸を半導体レーザから発したレーザ光の光軸と一致
させ、アクトベースをオプチベースに接着剤で固定するようにした光ピックアップにおい
て、前記支持ボルトを省略し、前記調整ばねの一端部が連結された押さえ部と、該押さえ
部に脚部を介して一体形成した基板部とを有する傾角治具を備え、前記基板部の底面に形
成した凹部に底板が一定範囲内移動可能に嵌入されると共に、該底板と凹部の底面との間
にその底板を外方に付勢する押圧ばねが介在され、前記底板付き基板部に対向してオプチ
ベースに平面視略コ字状係止枠が一体形成され、該係止枠が、所定間隔をおいて互いに平
行する一対の横断面略Ｌ字状側板部と、該両側板部の一端間に設けた奥板部とからなり、
その係止枠内に形成した収納部の出入口が前記両側板部の他端間に形成され、前記収納部
の横幅が基板部の横幅と同一または若干大きく設定されると共に、該収納部の高さが基板
部の上面から底板の下面までの高さよりも小さく設定されており、前記出入口から収納部
内に基板部を押圧ばねに抗して押し込んで底板を該収納部の底面に圧接させることにより
、調整ばね付き傾角治具をオプチベースの所定位置に係脱可能に係止し、これにより、調
整ばねの他端部をアクトベースに一体形成した受座部に押し付け、前記接着剤によるアク
トベースの固定終了後、押圧ばねに抗して基板部を収納部内から引き抜くことにより、調
整ばね付き傾角治具をオプチベースから離脱させるようにしたことを特徴とする光ピック
アップ。
【請求項３】
対物レンズ付きレンズホルダを支持するアクトベースがオプチベース上に配置され、２
本の傾角調整ボルトがオプチベースの貫通孔を通ってアクトベースに所定間隔をおいて形
成したねじ孔にそれぞれ螺合され、その両傾角調整ボルトから所定間隔離れた位置でアク
トベースをオプチベースに向けて付勢する調整ばねが設けられており、その調整ばねに抗
して各傾角調整ボルトのねじ込み量を調整してアクトベースの位置を微調整することによ
り、対物レンズの光軸を半導体レーザから発したレーザ光の光軸と一致させ、アクトベー
スをオプチベースに接着剤で固定するようにした光ピックアップにおいて、前記調整ばね
の一端部が連結された傾角治具を有しており、その調整ばね付き傾角治具をオプチベース
の所定位置に係脱可能に係止することにより、調整ばねの他端部をアクトベースに一体形
成した受座部に押し付け、前記接着剤によるアクトベースの固定終了後、調整ばね付き傾
角治具をオプチベースから離脱させるようにしたことを特徴とする光ピックアップ。
【請求項４】
前記傾角治具が、前記調整ばねの一端部が連結された押さえ部と、該押さえ部に脚部を
介して一体形成した基板部とを備え、該基板部に対向してオプチベースに位置決め枠が一
体形成されており、該位置決め枠に前記基板部を係合させて位置決めした後、該基板部を
ビスでオプチベースに螺着することにより、調整ばね付き傾角治具をオプチベースの所定
位置に係脱可能に係止し、これにより、調整ばねの他端部をアクトベースに一体形成した
受座部に押し付け、前記接着剤によるアクトベースの固定終了後、ビスによる螺着を解除
して調整ばね付き傾角治具をオプチベースから離脱させるようにしたことを特徴とする請
求項３に記載の光ピックアップ。
【請求項５】
前記傾角治具が、前記調整ばねの一端部が連結された押さえ部と、該押さえ部に脚部を
介して一体形成した基板部とを備え、該基板部の底面に形成した凹部に底板が一定範囲内
移動可能に嵌入されると共に、該底板と凹部の底面との間にその底板を外方に付勢する押
圧ばねが介在され、前記底板付き基板部に対向してオプチベースに平面視略コ字状係止枠
が一体形成され、該係止枠が、所定間隔をおいて互いに平行する一対の横断面略Ｌ字状側
板部と、該両側板部の一端間に設けた奥板部とからなり、その係止枠内に形成した収納部
の出入口が前記両側板部の他端間に形成され、前記収納部の横幅が基板部の横幅と同一ま
たは若干大きく設定されると共に、該収納部の高さが基板部の上面から底板の下面までの
高さよりも小さく設定されており、前記出入口から収納部内に基板部を押圧ばねに抗して
押し込んで底板を該収納部の底面に圧接させることにより、調整ばね付き傾角治具をオプ
チベースの所定位置に係脱可能に係止し、これにより、調整ばねの他端部をアクトベース
に一体形成した受座部に押し付け、前記接着剤によるアクトベースの固定終了後、押圧ば
ねに抗して基板部を収納部内から引き抜くことにより、調整ばね付き傾角治具をオプチベ
ースから離脱させるようにしたことを特徴とする請求項３に記載の光ピックアップ。
【発明の詳細な説明】
【技術分野】
【０００１】
本発明は、対物レンズの傾角調整を安価な構造で精密に行うことができるようにした光
ピックアップに関する。
【背景技術】
【０００２】
従来、光ピックアップに関する技術として特許文献１などの記載したものがあり、その
一例を図１０〜図１２に基づいて説明すると、これは、一側縁に形成したラック１ａに噛
合するピニオン（図示せず）を正逆回転させることによりディスクＤの半径方向に沿って
往復移動可能な合成樹脂製オプチベース１を有し、該オプチベース１の天板部１Ａに一体
形成した受支台１ｂに金属板製アクトベース２の下面に一体突設した突起部２ａを揺動可
能に係合させることにより、そのアクトベース２がオプチベース１の天板部１Ａ上に所定
間隔αをおいて配置されている。
【０００３】
前記アクトベース２のほぼ中央に立設したシャフト３に摺動及び揺動可能に嵌合するレ
ンズホルダ４に対物レンズＯＬが配置され、該レンズホルダ４のボス４ａにフォーカスコ
イル５と磁性片６とが外嵌されると共に、そのレンズホルダ４の外側面にトラッキングコ
イル７が固着され、レンズホルダ４を間に挟んで一対のマグネット８がアクトベース２か
ら起立する左右一対の側板部２ｂ，２ｃにそれぞれ固着されており、両マグネット８と磁
性片６との間で作用する磁気ばねによりレンズホルダ４を浮かせた状態で、プリント配線
９を介してフォーカスコイル５に通電することにより、レンズホルダ４をシャフト３に沿
ってフォーカス方向ａ，ｂに摺動させると共に、トラッキングコイル７に通電することに
より、レンズホルダ４をシャフト３回りでトラッキング方向ｃ，ｄに揺動させ、ディスク
Ｄの所定のトラックを追従する。
【０００４】
前記アクトベース２に所定間隔をおいて略Ｌ字状連結枠２ｄ，２ｅが一体形成されると
共に、該各連結枠２ｄ，２ｅの先端部に形成したねじ孔１１に対向してオプチベース１の
天板部１Ａに貫通孔１２が同心状に形成されており、２本の傾角調整ボルト１３を各貫通
孔１２を通って各連結枠２ｄ，２ｅのねじ孔１１に螺合させると共に、該各傾角調整ボル
ト１３の頭部１３ａを天板部１Ａの下面に当接させ、その両傾角調整ボルト１３から所定
間隔離れた位置でアクトベース２に一体突設した受座部２Ａに挿通孔１４が貫設されると
共に、該挿通孔１４に対向して天板部１Ａにねじ孔１５が同心状に形成されており、１本
の支持ボルト１６を挿通孔１４を通ってねじ孔１５に螺合させ、該支持ボルト１６の頭部
１６ａと受座部２Ａとの間でその支持ボルト１６に遊嵌することによりアクトベース２を
オプチベース１に向けて付勢する調整ばね１７が設けられており、その調整ばね１７に抗
して各傾角調整ボルト１３のねじ込み量を調整してアクトベース２の位置を微調整するこ
とにより、対物レンズＯＬの光軸Ｏ１をラジアル方向ｅ，ｆ及びタンゼンシャル方向ｇ，
ｈに傾動させて、その対物レンズＯＬの光軸Ｏ１を半導体レーザ（図示せず）から発した
レーザ光の光軸Ｏ２と一致させ、該アクトベース２と天板部１Ａとの間の複数箇所に紫外
線硬化性接着剤ＵＶを充填し、該接着剤ＵＶに紫外線を照射して硬化させることにより、
そのアクトベース２をオプチベース１に固定する。なお、図１１中、ＱＷＰはコリメート
レンズである。
【特許文献１】特開２００３−３１７２６５号公報
【発明の開示】
【発明が解決しようとする課題】
【０００５】
上記従来の構成では、対物レンズＯＬの傾角調整を行うために、２本の傾角調整ボルト
１３の他に、支持ボルト１６及び調整ばね１７を用いているが、接着剤ＵＶでアクトベー
ス２をオプチベース１に固定した後は、その支持ボルト１６及び調整ばね１７が不要とな
り、それらを用いている分だけコストアップになっている。
【０００６】
そこで、接着剤ＵＶによるアクトベース２の固定終了後、ドライバなどの工具で支持ボ
ルト１６のねじ込みを解除して調整ばね１７を離脱させることが考えられるが、そのねじ
込み解除の作業中にドライバなどの工具や支持ボルト１６がアクトベース２に接触するな
どして、せっかく微調整したアクトベース２の位置がずれるおそれがあり、その位置ずれ
が生じると、対物レンズＯＬの傾角調整が無意味なものとなる。
【０００７】
本発明は、上記従来の欠点に鑑み、対物レンズの傾角調整を安価な構造で精密に行うこ
とができるようにした光ピックアップを提供することを目的としている。
【課題を解決するための手段】
【０００８】
上記目的を達成するため、請求項１に記載の発明は、対物レンズ付きレンズホルダを支
持するアクトベースがオプチベース上に配置され、２本の傾角調整ボルトがオプチベース
の貫通孔を通ってアクトベースに所定間隔をおいて形成したねじ孔にそれぞれ螺合され、
その両傾角調整ボルトから所定間隔離れた位置でアクトベースの挿通孔を通ってオプチベ
ースのねじ孔に支持ボルトが螺着され、該支持ボルトに遊嵌されてアクトベースをオプチ
ベースに向けて付勢する調整ばねが設けられており、その調整ばねに抗して各傾角調整ボ
ルトのねじ込み量を調整してアクトベースの位置を微調整することにより、対物レンズの
光軸を半導体レーザから発したレーザ光の光軸と一致させ、アクトベースをオプチベース
に接着剤で固定するようにした光ピックアップにおいて、前記支持ボルトを省略し、前記
調整ばねの一端部が連結された押さえ部と、該押さえ部に脚部を介して一体形成した基板
部とを有する傾角治具を備え、前記基板部に対向してオプチベースに位置決め枠が一体形
成されており、該位置決め枠に前記基板部を係合させて位置決めした後、該基板部をビス
でオプチベースに螺着することにより、調整ばね付き傾角治具をオプチベースの所定位置
に係脱可能に係止し、これにより、調整ばねの他端部をアクトベースに一体形成した受座
部に押し付け、前記接着剤によるアクトベースの固定終了後、ビスによる螺着を解除して
調整ばね付き傾角治具をオプチベースから離脱させるようにしたことを特徴としている。
【０００９】
請求項２に記載の発明は、対物レンズ付きレンズホルダを支持するアクトベースがオプ
チベース上に配置され、２本の傾角調整ボルトがオプチベースの貫通孔を通ってアクトベ
ースに所定間隔をおいて形成したねじ孔にそれぞれ螺合され、その両傾角調整ボルトから
所定間隔離れた位置でアクトベースの挿通孔を通ってオプチベースのねじ孔に支持ボルト
が螺着され、該支持ボルトに遊嵌されてアクトベースをオプチベースに向けて付勢する調
整ばねが設けられており、その調整ばねに抗して各傾角調整ボルトのねじ込み量を調整し
てアクトベースの位置を微調整することにより、対物レンズの光軸を半導体レーザから発
したレーザ光の光軸と一致させ、アクトベースをオプチベースに接着剤で固定するように
した光ピックアップにおいて、前記支持ボルトを省略し、前記調整ばねの一端部が連結さ
れた押さえ部と、該押さえ部に脚部を介して一体形成した基板部とを有する傾角治具を備
え、前記基板部の底面に形成した凹部に底板が一定範囲内移動可能に嵌入されると共に、
該底板と凹部の底面との間にその底板を外方に付勢する押圧ばねが介在され、前記底板付
き基板部に対向してオプチベースに平面視略コ字状係止枠が一体形成され、該係止枠が、
所定間隔をおいて互いに平行する一対の横断面略Ｌ字状側板部と、該両側板部の一端間に
設けた奥板部とからなり、その係止枠内に形成した収納部の出入口が前記両側板部の他端
間に形成され、前記収納部の横幅が基板部の横幅と同一または若干大きく設定されると共
に、該収納部の高さが基板部の上面から底板の下面までの高さよりも小さく設定されてお
り、前記出入口から収納部内に基板部を押圧ばねに抗して押し込んで底板を該収納部の底
面に圧接させることにより、調整ばね付き傾角治具をオプチベースの所定位置に係脱可能
に係止し、これにより、調整ばねの他端部をアクトベースに一体形成した受座部に押し付
け、前記接着剤によるアクトベースの固定終了後、押圧ばねに抗して基板部を収納部内か
ら引き抜くことにより、調整ばね付き傾角治具をオプチベースから離脱させるようにした
ことを特徴としている。
【００１０】
請求項３に記載の発明は、対物レンズ付きレンズホルダを支持するアクトベースがオプ
チベース上に配置され、２本の傾角調整ボルトがオプチベースの貫通孔を通ってアクトベ
ースに所定間隔をおいて形成したねじ孔にそれぞれ螺合され、その両傾角調整ボルトから
所定間隔離れた位置でアクトベースをオプチベースに向けて付勢する調整ばねが設けられ
ており、その調整ばねに抗して各傾角調整ボルトのねじ込み量を調整してアクトベースの
位置を微調整することにより、対物レンズの光軸を半導体レーザから発したレーザ光の光
軸と一致させ、アクトベースをオプチベースに接着剤で固定するようにした光ピックアッ
プにおいて、前記調整ばねの一端部が連結された傾角治具を有しており、その調整ばね付
き傾角治具をオプチベースの所定位置に係脱可能に係止することにより、調整ばねの他端
部をアクトベースに一体形成した受座部に押し付け、前記接着剤によるアクトベースの固
定終了後、調整ばね付き傾角治具をオプチベースから離脱させるようにしたことを特徴と
している。
【００１１】
請求項４に記載の発明は、請求項３に記載の発明において、前記傾角治具が、前記調整
ばねの一端部が連結された押さえ部と、該押さえ部に脚部を介して一体形成した基板部と
を備え、該基板部に対向してオプチベースに位置決め枠が一体形成されており、該位置決
め枠に前記基板部を係合させて位置決めした後、該基板部をビスでオプチベースに螺着す
ることにより、調整ばね付き傾角治具をオプチベースの所定位置に係脱可能に係止し、こ
れにより、調整ばねの他端部をアクトベースに一体形成した受座部に押し付け、前記接着
剤によるアクトベースの固定終了後、ビスによる螺着を解除して調整ばね付き傾角治具を
オプチベースから離脱させるようにしたことを特徴としている。
【００１２】
請求項５に記載の発明は、請求項３に記載の発明において、前記傾角治具が、前記調整
ばねの一端部が連結された押さえ部と、該押さえ部に脚部を介して一体形成した基板部と
を備え、該基板部の底面に形成した凹部に底板が一定範囲内移動可能に嵌入されると共に
、該底板と凹部の底面との間にその底板を外方に付勢する押圧ばねが介在され、前記底板
付き基板部に対向してオプチベースに平面視略コ字状係止枠が一体形成され、該係止枠が
、所定間隔をおいて互いに平行する一対の横断面略Ｌ字状側板部と、該両側板部の一端間
に設けた奥板部とからなり、その係止枠内に形成した収納部の出入口が前記両側板部の他
端間に形成され、前記収納部の横幅が基板部の横幅と同一または若干大きく設定されると
共に、該収納部の高さが基板部の上面から底板の下面までの高さよりも小さく設定されて
おり、前記出入口から収納部内に基板部を押圧ばねに抗して押し込んで底板を該収納部の
底面に圧接させることにより、調整ばね付き傾角治具をオプチベースの所定位置に係脱可
能に係止し、これにより、調整ばねの他端部をアクトベースに一体形成した受座部に押し
付け、前記接着剤によるアクトベースの固定終了後、押圧ばねに抗して基板部を収納部内
から引き抜くことにより、調整ばね付き傾角治具をオプチベースから離脱させるようにし
たことを特徴としている。
【発明の効果】
【００１３】
請求項１に記載の発明は第１の実施の形態（図１〜図６参照）に対応するものであって
、これによれば、調整ばね付き傾角治具をオプチベースの所定位置に係止することにより
、調整ばねの他端部をアクトベースの受座部に押し付け、接着剤によるアクトベースの固
定終了後、調整ばね付き傾角治具をオプチベースから離脱させるようになっており、前記
調整ばねを光ピックアップの構成部品とせず、しかも、従来の調整ばね用支持ボルトに相
当するものも不要であるから、その調整ばね及び支持ボルトを省略した分だけ部品点数が
少なくなり、構造が簡単で製作費を安くすることができる。
【００１４】
また、オプチベースの位置決め枠に傾角治具の基板部を係合させて、該傾角治具をオプ
チベースの所定位置に位置決めした状態で、ビスにより前記基板部をオプチベースに螺着
するだけで、調整ばねの他端部をアクトベースの受座部に所望通りに確実に押し付けるこ
とができる。更に、ビスによる螺着を解除するだけで、調整ばねを受座部から簡単に離脱
させることができる。
【００１５】
また更に、ビスによる螺着の解除作業を受座部から離れた位置で行うから、その解除作
業中に傾角治具や螺着解除用ドライバなどの工具が受座部に不測に接触しないようにして
、微調整を終えたアクトベースの位置が狂わないようにすることができる。
【００１６】
請求項２に記載の発明は第２の実施の形態（図７〜図１０参照）に対応するものであっ
て、これによれば、請求項１に記載の発明とほぼ同じ効果を得ることができ、特に、オプ
チベースの収納部内に傾角治具の基板部を押し込んで底板を収納部の底面に圧接させるだ
けで、調整ばねの他端部をアクトベースの受座部に所望通りに確実に押し付けることがで
きる。また、押圧ばねに抗して基板部を収納部内から引き抜くだけで、調整ばねを受座部
から簡単に離脱させることができる。
【００１７】
更に、基板部の引き抜き作業を受座部から離れた位置で行うから、その引き抜き作業中
に傾角治具が受座部に不測に接触しないようにして、微調整を終えたアクトベースの位置
が狂わないようにすることができる。
【００１８】
請求項３に記載の発明は基本形態に対応するものであって、これによれば、調整ばね付
き傾角治具をオプチベースの所定位置に係止することにより、調整ばねの他端部をアクト
ベースの受座部に押し付け、接着剤によるアクトベースの固定終了後、調整ばね付き傾角
治具をオプチベースから離脱させるようになっており、前記調整ばねを光ピックアップの
構成部品とせず、しかも、従来の調整ばね用支持ボルトに相当するものも不要であるから
、その調整ばね及び支持ボルトを省略した分だけ部品点数が少なくなり、構造が簡単で製
作費を安くすることができる。
【００１９】
請求項４に記載の発明によれば、オプチベースの位置決め枠に傾角治具の基板部を係合
させて、該傾角治具をオプチベースの所定位置に位置決めした状態で、ビスにより前記基
板部をオプチベースに螺着するだけで、調整ばねの他端部をアクトベースの受座部に所望
通りに確実に押し付けることができる。また、ビスによる螺着を解除するだけで、調整ば
ねを受座部から簡単に離脱させることができる。
【００２０】
更に、ビスによる螺着の解除作業を受座部から離れた位置で行うから、その解除作業中
に傾角治具や螺着解除用ドライバなどの工具が受座部に不測に接触しないようにして、微
調整を終えたアクトベースの位置が狂わないようにすることができる。
【００２１】
請求項５に記載の発明によれば、オプチベースの収納部内に傾角治具の基板部を押し込
んで底板を収納部の底面に圧接させるだけで、調整ばねの他端部をアクトベースの受座部
に所望通りに確実に押し付けることができる。また、押圧ばねに抗して基板部を収納部内
から引き抜くだけで、調整ばねを受座部から簡単に離脱させることができる。
【００２２】
更に、基板部の引き抜き作業を受座部から離れた位置で行うから、その引き抜き作業中
に傾角治具が受座部に不測に接触しないようにして、微調整を終えたアクトベースの位置
が狂わないようにすることができる。
【発明を実施するための最良の形態】
【００２３】
図１〜図５は本発明の第１の実施の形態である光ピックアップを示すものであって、調
整ばね１７の一端部が連結された傾角治具２０を有しており、該傾角治具２０は、調整ば
ね１７の一端部が連結された押さえ部２０ａと、該押さえ部２０ａの側縁から直角に折れ
曲って下方に延びる脚部２０ｂと、該脚部２０ｂの下端から直角に折れ曲がって押さえ部
２０ａとは逆向きに平行して延びる基板部２０ｃとを備え、アクトベース２の受座部２Ａ
の側方に隣接してオプチベース１の天板部１Ａの上面に平面視略コ字状の位置決め枠２１
が一体形成され、該位置決め枠２１内に形成した収納空間２２の横幅ｈ１が基板部２０ｃ
の横幅ｈ２と同一または若干大きく設定されると共に、該収納空間２２の縦幅ｔ１が基板
部２０ｃの縦幅ｔ２と同一または少し大きく設定されており、その位置決め枠２１に基板
部２０ｃを係合させて位置決めしたときに、押さえ部２０ａが受座部２Ａの直上に位置す
る。
【００２４】
前記オプチベース１を貫通して収納空間２２の中央に達する貫通孔２３が貫設されると
共に、該貫通孔２３に対向して基板部２０ｃにねじ孔２４が形成され、貫通孔２３を通っ
てねじ孔２４に螺着されるビス２５が設けられている。
【００２５】
前記押さえ部２０ａの下面に、調整ばね１７の内径ｋ１と同一または若干小さい外径ｋ
２を有する円柱状連結突起２６が一体突設されると共に、該連結突起２６の外周面に複数
の連結片２７が一体突設されており、調整ばね１７の一端部を回して各連結片２７に係合
させることにより、該調整ばね１７の一端部を連結突起２６に外嵌させて押さえ部２０ａ
に連結している。上記以外の構成は図１０〜図１２に示す構成とほぼ同じであるから、同
一部分に同一符号を付してその説明を省略する。
【００２６】
傾角調整の手順を説明すると、図５（ａ）に示すように、調整ばね１７付き傾角治具２
０を把持して、その基板部２０ｃを位置決め枠２１に向けて接近させ、図５（ｂ）に示す
ように、位置決め枠２１に基板部２０ｃを係合させて位置決めした後、該基板部２０ｃを
ビス２５でオプチベース１に螺着することにより、調整ばね１７付き傾角治具２０をオプ
チベース１の所定位置に係脱可能に係止し、これにより、調整ばね１７の他端部を受座部
２Ａに押し付ける（図２仮想線参照）。
【００２７】
続いて、調整ばね１７に抗して各傾角調整ボルト１３のねじ込み量を調整してアクトベ
ース２の位置を微調整することにより、対物レンズＯＬの光軸Ｏ１をラジアル方向ｅ，ｆ
及びタンゼンシャル方向ｇ，ｈに傾動させて、その対物レンズＯＬの光軸Ｏ１を半導体レ
ーザ（図示せず）から発したレーザ光の光軸Ｏ２と一致させ、該アクトベース２と天板部
１Ａとの間の複数箇所に紫外線硬化性接着剤ＵＶを充填し、該接着剤ＵＶに紫外線を照射
して硬化させることにより、そのアクトベース２をオプチベース１に固定する。
【００２８】
その後、ビス２５による螺着を解除して調整ばね１７付き傾角治具２０をオプチベース
１から離脱させる（図３実線参照）。
【００２９】
上記構成によれば、図２に仮想線で示すように、調整ばね１７付き傾角治具２０をオプ
チベース１の所定位置に係止することにより、調整ばね１７の他端部をアクトベース２の
受座部２Ａに押し付け、接着剤ＵＶによるアクトベース２の固定終了後、図３に実線で示
すように、調整ばね１７付き傾角治具２０をオプチベース１から離脱させるようになって
おり、前記調整ばね１７を光ピックアップの構成部品とせず、しかも、従来の調整ばね１
７用支持ボルト１６（図１２参照）に相当するものも不要であるから、その調整ばね１７
及び支持ボルト１６を省略した分だけ部品点数が少なくなり、構造が簡単で製作費を安く
することができる。
【００３０】
また、オプチベース１の位置決め枠２１に傾角治具２０の基板部２０ｃを係合させて、
該傾角治具２０をオプチベース１の所定位置に位置決めした状態で、ビス２５により前記
基板部２０ｃをオプチベース１に螺着するだけで、調整ばね１７の他端部をアクトベース
２の受座部２Ａに所望通りに確実に押し付けることができる。更に、図３に実線で示すよ
うに、ビス２５による螺着を解除するだけで、調整ばね１７を受座部２Ａから簡単に離脱
させることができる。
【００３１】
また更に、図２に仮想線で示すように、ビス２５による螺着の解除作業を受座部２Ａか
ら離れた位置で行うから、その解除作業中に傾角治具２０や螺着解除用ドライバなどの工
具が受座部２Ａに不測に接触しないようにして、微調整を終えたアクトベース２の位置を
狂わないようにすることができる。
【００３２】
上記の実施の形態では、連結片２７付き連結突起２６に調整ばね１７の一端部を連結さ
せたが、これに限定されるわけではなく、図６に示すように、連結片２７を省略し、連結
突起２６の外周面に雄ねじ部２８を形成し、該雄ねじ部２８に調整ばね１７の一端部をね
じ込むようにして連結させてもよい。
【００３３】
図７〜図９は本発明の第２の実施の形態である光ピックアップの要部を示すものであっ
て、傾角治具２０の脚部２０ｂに対して基板部２０ｃが略Ｔ字状に一体形成され、該基板
部２０ｃの底面に凹部３０が形成されると共に、該基板部２０ｃの側壁部を貫通して凹部
３０に連通する複数のフック孔３１が貫設され、前記凹部３０よりも一回り小さい底板３
２の側壁部に一体突設した複数のフック３２ａを前記各フック孔３１に上下動可能に嵌入
させることにより、その底板３２が凹部３０内に一定範囲内移動可能に嵌入されると共に
、該底板３２と凹部３０の底面との間にその底板３２を外方に付勢する押圧ばね３３が介
在されている。
【００３４】
図７に示すように、底板３２付き基板部２０ｃに対向してオプチベース１の天板部１Ａ
に平面視略コ字状係止枠３４が一体形成されており、該係止枠３４は、所定間隔をおいて
互いに平行する一対の横断面略Ｌ字状側板部３４Ａ，３４Ｂと、該両側板部３４Ａ，３４
Ｂの一端間に設けた奥板部３４Ｃとからなり、その係止枠３４内に形成した収納部３５の
出入口３５ａが前記両側板部３４Ａ，３４Ｂの他端間に形成され、該収納部３５の横幅ｈ
３が基板部２０ｃの横幅ｈ２と同一または若干大きく設定されると共に、その収納部３５
の高さｍ１が基板部２の上面から底板３２の下面までの高さｍ２よりも小さく設定されて
いる。上記以外の構成は図１〜図６に示す第１の実施の形態とほぼ同じであるから、同一
部分に同一符号を付してその説明を省略する。
【００３５】
傾角調整の手順を説明すると、図９（ａ）（ｂ）に示すように、調整ばね１７付き傾角
治具２０を把持して、底板３２付き基板部２０ｃを収納部３５に接近させ、図９（ｃ）（
ｄ）に示すように、出入口３５ａから収納部３５内に基板部２０ｃを押圧ばね３３に抗し
て押し込んで底板３２を該収納部３５の底面に圧接させると共に、基板部２０ｃの上面を
各側板部３４Ａ，３４Ｂの上端から互いに接近するように水平に延びる水平部３４ａの下
面に圧接させることにより、調整ばね１７付き傾角治具２０をオプチベース１の所定位置
に係脱可能に係止し、これにより、調整ばね１７の他端部を受座部２Ａに押し付け、続い
て、第１の実施の形態と同じ手順で傾角調整を行った後、アクトベース２と天板部１Ａと
の間の複数箇所に紫外線硬化性接着剤ＵＶを充填し、該接着剤ＵＶに紫外線を照射して硬
化させることにより、アクトベース２をオプチベース１に固定する。
【００３６】
その後、図９（ｃ）に仮想線で示すように、押圧ばね３３に抗して基板部２０ｃを収納
部３５内から引き抜くことにより、調整ばね１７付き傾角治具２０をオプチベース１から
離脱させる。
【００３７】
上記構成によれば、第１の実施の形態（図１〜図６参照）とほぼ同じ効果を得ることが
でき、特に、オプチベース１の収納部３５内に傾角治具２０の基板部２０ｃを押し込んで
底板３２を収納部３５の底面に圧接させるだけで、調整ばね１７の他端部を受座部２Ａに
所望通りに確実に押し付けることができる〔図９（ｃ）（ｄ）参照〕。また、押圧ばね３
３に抗して基板部２０ｃを収納部３５内から引き抜くだけで、調整ばね１７を受座部２Ａ
から簡単に離脱させることができる。
【００３８】
更に、基板部２０ｃの引き抜き作業を受座部２Ａから離れた位置で行うから、その引き
抜き作業中に傾角治具２０が受座部２Ａに不測に接触しないようにして、微調整を終えた
アクトベース２の位置を狂わないようにすることができる。
【図面の簡単な説明】
【００３９】
【図１】本発明の第１の実施の形態である光ピックアップを示す平面図である。
【図２】同一部切欠き側面図である。
【図３】図１のＡ−Ａ矢視図である。
【図４】同要部の分解斜視図である。
【図５】（ａ）は同調整ばねの挿入手順の前段を示す概略平面図、（ｂ）は同挿入手順の後段を示す概略平面図である。
【図６】同調整ばねの連結状態の変形例を示す要部の正面図である。
【図７】本発明の第２の実施の形態である光ピックアップの要部を示す分解斜視図である。
【図８】同傾角治具の要部の分解斜視図である。
【図９】（ａ）は同調整ばねの挿入手順の前段を示す一部切欠き側面図、（ｂ）はＣ−Ｃ矢視図、（ｃ）は同挿入手順の後段を示す一部切欠き側面図、（ｄ）はＥ−Ｅ矢視図である。
【図１０】従来例を示す平面図である。
【図１１】同縦断面図である。
【図１２】図１０のＢ−Ｂ矢視図である。
【符号の説明】
【００４０】
１              オプチベース
２              アクトベース
２Ａ            受座部
４              レンズホルダ
１１            ねじ孔
１２            貫通孔
１３            傾角調整ボルト
１６            支持ボルト
１７            調整ばね
２０            傾角治具
２０ａ          傾角治具の押さえ部
２０ｂ          傾角治具の脚部
２０ｃ          傾角治具の基板部
２１            位置決め枠
２５            ビス
３０            凹部
３２            底板
３３            押圧ばね
３４            係止枠
３４Ａ，３４Ｂ  係止枠の側板部
３４Ｃ          係止枠の奥板部
３５            収納部
３５ａ          収納部の出入口
ＯＬ            対物レンズ
ＵＶ            紫外線硬化性接着剤
Ｏ１            対物レンズの光軸
Ｏ２            レーザ光の光軸
ｈ２            基板部の横幅
ｈ３            収納部の横幅
ｍ１            収納部の高さ
ｍ２            基板部の上面から底板の下面までの高さ
【図１】
2007149246.tif 000003
【図２】
2007149246.tif 000004
【図３】
2007149246.tif 000005
【図４】
2007149246.tif 000006
【図５】
2007149246.tif 000007
【図６】
2007149246.tif 000008
【図７】
2007149246.tif 000009
【図８】
2007149246.tif 000010
【図９】
2007149246.tif 000011
【図１０】
2007149246.tif 000012
【図１１】
2007149246.tif 000013
【図１２】
2007149246.tif 000014